Podtech/llm-jp-corpus-v4-ja_patent huggingface dataset:
(57)【要約】【課題】  本発明は、机仕事の際、座る椅子使用時に、保温性、防寒性を考慮し、背もたれ部分からカバーできるようにし、下肢部分及び、腰部分も包み込むようにした膝掛けストールに関するものである。【解決手段】  横に細長い形の（１）の中央部の背あて部分に開口する袋をＬ部に取り付け長方形のストール（１）に取り付けた下部分の左右にカイロが入れられるようなポケットをそれぞれ一つずつ取り付けた膝掛けストール。【選択図】  図１
2005226205.tif 000002
【特許請求の範囲】
【請求項１】
横に細長い長方形の（１）の中央部の背あて部分に開口する袋を上部に取り付け長方形のストール（１）に取り付けた下部分の左右にカイロが入れられるような、ポケットをそれぞれ一つずつ取り付けた膝掛けストール。
【発明の詳細な説明】
【技術分野】
【０００１】  本発明は、机仕事の際、座る椅子使用時に、保温性、防寒性を考慮し、背もたれ部分からカバーできるようにし、下肢部分及び、腰部分も包み込むようにした膝掛けストールに関するももである。
【背景技術】
【０００２】  従来、膝掛けは膝及び、下肢の一部を包み込む、保温性、防寒性のものであり、部材はアクリル繊維、ウール等で、横長な長方形状に形成されたものが、一般的であった。
それで椅子に腰を掛けた時に使用する場合は、下肢正面を被せる様に掛け、又、後部腰部分を防寒する時は、立ち上がり、後ろより前に腰を包み込むように座り、膝掛けとして使用していた。
【発明の開示】
【発明が解決しょうとする課題】
【０００３】  上記従来の膝掛けは、膝及び下肢のみの保温、防寒として、使用され下肢背面部分、腰、膝ともに一緒に保温、防寒することはできず、特に腰の部分及び下肢の包み切れない部分の冷えに関しては、健康上好ましくなく、もう一枚ストールなどを巻くことを余儀なくされているのが現状である。
そこで、本発明は、椅子の背もたれをカバーですっぽりと被せ、背もたれより繋がった布を後ろから腰を包み込むように前で布を交差させ、膝及び下肢の部分も保温、防寒としてカバーできることを目的とした。
【問題を解決するための手段】
【０００４】  （イ）横に細長い長方形のストール（１）の中央部の背あて部分に開口する袋を上部に取り付ける。
（ロ）長方形のストール（１）に取り付けた袋の下部分の左右カイロが入れられるようなポケットをそれぞれ一つずつ取り付ける。
本発明は、以上の構成よりなっている。
【発明の効果】
【０００５】  本発明品は、多目的膝掛けであると共に、保温性も防寒性もある。
従来の長方形の膝掛けのように、たたんだり、背もたれに掛けて片付ける事もなく、座る部分に重ねておくことで、椅子から落ちたり、また、しまう手間もはぶける。
【発明を実施するための最良の形態】
【０００６】  以下、本発明の形態を説明する。
（イ）横に細長い長方形のストール（１）の中央部の背当て部分に開口する袋を上部に取り付ける。
（ロ）（１）に取り付けた袋の下部分の左右にカイロが入れられるようなポケットをそれぞれ一つずつ取り付ける。
本発明は、以上の構成よりなっている。
本発明は、フリースの生地の特性から、椅子のカバーとして被せた場合、背当て部分の多少の形の違いにも、順応できること。
また、生地自体も汚れた場合に、電気洗濯機で洗濯が可能であり、縮むと言う事も無い。
上記膝掛けの目的を達成するために、保温性、防寒性、また、椅子の背もたれの部分から掛けられ、下肢背面部分、腰、膝と多目的膝掛けであり、立ち上がった際も、そのつど椅子の上に置いて、落ちてしまうと言う気ががりもない。
部材として、フリースの生地を使用することにより、椅子の背もたれの部分の形の違いにも、素材的に順応できること。
また、背もたれのカバー内側２カ所にカイロ用のポケットを付けることにより、カイロで一層の保温性が保たれる。
【図面の簡単な説明】
【０００７】
【図１】本発明の斜視図
【図２】本発明の使用状態を示す斜視図
【図３】本発明の平面図
【図４】本発明の正面図
【図５】本発明の底面図
【図６】本発明の右側面図
【符号の説明】
【０００８】    １  長方形のストール
２  背当て部分のカバー
３  バイアステープ
４  背当て部分下、左（ａ）、右（ｂ）のカイロ用ポケット
５  ポケット用カイロ左（ａ）、右（ｂ）
６  椅子背もたれ部分
【図１】
2005226205.tif 000003
【図２】
2005226205.tif 000004
【図３】
2005226205.tif 000005
【図４】
2005226205.tif 000006
【図５】
2005226205.tif 000007
【図６】
2005226205.tif 000008
(57)【要約】【課題】  紋付和服を着用するには、着付けの知識が必要で簡単ではない。高齢者の場合は、帯の締めつけがあり和服の着用が困難である。また洋服とは異なり和服に付随する帯、足袋、草履等一式が必要であり、遠方への持運びが負担となるという問題があった。日本の伝統を維持しつつ格式を重んじる紋付の洋服を提供する。【解決手段】  パソコンの既存ソフトを使って家紋を作成し、そのデータをフロッピーディスクに保存。コンピュータミシンにフロッピーディスクよりデータを読込み、洋服の所定の位置に、コンピュータミシンの自動機能により刺繍を行う。または、従来の和服と同様に染物業者へ家紋の加工を委託する。【選択図】図１
2005226208.tif 000002
【特許請求の範囲】
【請求項１】
家紋を刺繍又は色染めで、女性用モーニングドレス、ワンピース、スーツ、パンツスーツ、男性用礼服に紋付として加工を施す。
【発明の詳細な説明】
【技術分野】
【０００１】  本発明は、家紋を付けた礼装用の洋服に関するものである。
【背景技術】
【０００２】  従来の和服には、家紋を付けた衣服がある。
【発明の開示】
【発明が解決しようとする課題】
【０００３】  紋付の和服は、洋風化の進展と供に公式行事においても着用されなくなって来た。【０００４】  和服の着付けは、慣れていなければ難しく、簡単には着用出来ない。付属品が多く持運びが不便で、遠方での冠婚葬祭で着用するには不向きである。【０００５】  和服を着用する場合は、和服に合う髪型を結い、帯、足袋、草履等一式が必要である。また必要に応じて和装用バッグを準備しなければならない。【０００６】  本発明は、これらの問題点を解決するためになされたものである。
【課題を解決するための手段】
【０００７】  女性用のモーニングドレス、ワンピース、スーツ、パンツスーツ、男性用の礼服等の洋服に家紋を付ける。【０００８】  家紋に使用する糸は、ミシン用の刺繍糸でメーカーにより異なるが、６０番、５０番、４０番の番手を使用する。【０００９】  家紋の作成は、パソコンのソフトで作成。コンピュータミシンにそのデータを読込みコンピュータミシンの機能により、自動で洋服に刺繍を行う。【００１０】  また家紋は、従来の和服と同様に染物業者への委託で、洋服に加工する方法も可能である。
【発明の効果】
【００１１】  和服に比べて付属品を必要としないので、遠方の冠婚葬祭においても、気軽に着用が可能となる。【００１２】  和服に比べて廉価な費用で作成が可能となり、日本の伝統を維持しつつ、格式を重んじることが出来る。
【発明の実施するための最良の形態】
【００１３】  以下、本発明の実施の形態を図１〜図３に基づいて説明する。
【００１４】  表布地は、シルク、シルクウール、ウール或いはそれに準ずる素材感のあるもの。着物の留袖の表布地も適する。
【００１５】  生地の色は、黒を基本とするが、濃紺、グレー、ブラウンなどベーシックな色とする。
【００１６】  図１及び図２は、ワンピースドレスとジャケットのアンサンブルのジャケットの一例である。図１の１は、前中心端より両側１０ｃｍ位の位置、２箇所に家紋を付ける。位置は体型により多少異なる。
【００１７】  図２の２は、後ろ中心襟首端より１２ｃｍ位の位置、１箇所に家紋を付ける。位置は体型により多少異なる。
【００１８】  図３は、ワンピースドレスとジャケットのアンサンブルのワンピースドレスの一例である。３は、通常入れる脇下からバストに向けてのダーツの線。４も、通常入れるウェストラインのダーツの線である。
【００１９】  男紋の大きさは、直径３ｃｍの円の中に、約２．７ｃｍの大きさとする。女紋の場合は、直径約２ｃｍ大の円形を標準とする。
【図面の簡単な説明】
【００２０】
【図１】  本発明の上着の正面図例
【図２】  同上着の裏面図例
【図３】  同ワンピースの正面図例
【符号の説明】
【００２１】（１）表側２箇所の家紋、（２）後ろ側１箇所の家紋、（３）及び（４）ダーツの線
【図１】
2005226208.tif 000003
【図２】
2005226208.tif 000004
【図３】
2005226208.tif 000005
(57)【要約】【課題】犯人が着色した目印を拭き取り、覆面を取り、人ごみに紛れて逃走する事を困難にする。【解決手段】硝酸銀等の皮膚を変色させる溶液を使う防犯の水鉄砲で溶液を付着させ皮膚を変色させることで目印とし、逃走を困難にする。【特許請求の範囲】
【請求項１】
溶液を付着させ目印とし、逃走を困難にする硝酸銀等の皮膚を変色させる溶液を使う防犯の水鉄砲。
【発明の詳細な説明】
【発明の詳細な説明】
【技術分野】
【０００１】本発明は、犯人などの追跡装置に設けた放出装置から犯人を目掛けて放出され、逃走した犯人の追跡や逮捕に利用する事ができる硝酸銀等の皮膚を変色させる溶液を使う防犯の水鉄砲に関する。
【背景技術】
【０００２】  従来の技術では、犯人に対して目印として付着した場合、犯人は皮膚に着色しているので拭き取るか、着替えるかして、人ごみに紛れ容易に逃走できた。
【発明が解決しようとする課題】
【０００３】  本発明では、犯人が容易に目印を消すことが出来ないように皮膚に着色ではなく、皮膚を変色する事。
【課題を解決するための手段】
【０００４】  上記目的を達成するため、本発明では、溶液を付着させ目印とし、逃走を困難にする硝酸銀等の皮膚を変色させる溶液を使う防犯の水鉄砲を利用する。
【発明を実施するための最良の形態】
【０００５】  本発明は、犯人などの追跡に硝酸銀等の皮膚を変色させる溶液を使う防犯の水鉄砲から放出され、逃走した犯人の追跡や逮捕に利用する。
【実施例】
【０００６】  以下、本発明の硝酸銀等の皮膚を変色させる溶液を使う防犯の水鉄砲の使用例を時間の経過とともに説明します。【０００７】  犯人目掛けて放出された硝酸銀等は無色透明である為、直後は犯人は何処に付着したか判らずに犯行を続ける。【０００８】  犯人は、犯行後逃走しようとするが１５分以内位であれば変色に気付かず、逃走を続けるが時間とともに変色がすすみ気が付いたときには、手遅れで皮膚が変色し簡単には落ちないので、逃走が困難になる。
【発明の効果】
本発明の硝酸銀等の皮膚を変色させる溶液を使う防犯の水鉄砲を導入していることを宣伝すれば、犯行の抑止力となり防犯の目的を達成でき警備のコストを引き下げることが出来る。
(57)【要約】【課題】  空調装置に使用される膨張弁の部品の取付構造の改良を図る。【解決手段】  膨張弁本体３０は、圧縮機側からの冷媒が流入する通路３２と弁室３５を有し、弁体３２ｂとオリフィス３２ａの流路を通った冷媒は、通路３２１から蒸発器へ送られる。蒸発器から戻る冷媒は、通路３４を通って圧縮機側へ戻る。パワーエレメント３６は、蒸発器の熱負荷に対応して弁体３２ｂを操作して、冷媒の流量を制御する。弁室３５内に配設されて弁体３２ｂをオリフィス３２ａに向けて付勢するスプリング３２ｄの下端は、弁室の開口部３５ａに挿入されてカシメ加工部Ｋ１により固定される封止部材１５０により支持される。【選択図】        図１
2005226940.tif 000002
【特許請求の範囲】
【請求項１】
弁本体と、上記弁本体の上端部に設けられてダイアフラムの変位に応じて弁体を駆動するパワーエレメント部と、上記弁本体の下端部に設けられた弁室内に配設されて、上記弁体の弁開度を調節するばねとからなり、上記ばねは弁室の開口部に挿入されて弁本体にカシメ加工部により固定される封止部材に支持される膨張弁。
【請求項２】
弁本体の弁室の開口部に形成される段付部を備え、封止部材は段付部に挿入されてカシメ加工部により固定される請求項１記載の膨張弁。
【請求項３】
封止部材は、弁室の段付部に押圧されるテーパー面を備える請求項２記載の膨張弁。
【請求項４】
封止部材は、外周部に嵌装されるシール部材を備える請求項２記載の膨張弁。
【発明の詳細な説明】
【技術分野】
【０００１】
本発明は、カーエアコン等の空調装置に装備されて、冷媒の温度に応じて蒸発器（エバポレータ）へ供給される冷媒の流量を制御する膨張弁に関する。
【背景技術】
【０００２】
この種の膨張弁は、例えば、下記の特許文献に開示されている。
【特許文献１】特開２０００−３０４３８１号公報
【発明の開示】
【発明が解決しようとする課題】
【０００３】
従来の膨張弁においては、弁受け部材、スプリング及び調節ネジ等を有し、部品点数を要しており、しいては膨張弁の小型化及び軽量化の達成を困難にしていた。
さらには、弁室より調節ネジ部分を通して冷媒の漏れる不具合の生ずるおそれがあった。
かかる点に鑑み、本発明はカーエアコンの小型化、軽量化の要請に応じ、構造を簡素化し、組立工数を削減した膨張弁を提供することを目的とする。
【課題を解決するための手段】
【０００４】
本発明の膨張弁は、弁本体と、上記弁本体の上端部に設けられてダイアフラムの変位に応じて弁体を駆動するパワーエレメント部と、上記弁本体の下端部に設けられた弁室内に配設されて、上記弁体の弁開度を調節するばねとからなり、上記ばねは弁室の開口部に挿入されて弁本体にカシメ加工部により固定される封止部材に支持されるものである。また、弁本体の弁室の開口部に形成される段付部を備え、封止部材は段付部に挿入されてカシメ加工部により固定される手段を備える。
さらに、封止部材は、弁室の段付部に押圧されるテーパー面を備えたり、外周部に嵌装されるシール部材を備えることができる。
【発明を実施するための最良の形態】
【０００５】
図１は、本発明の膨張弁の断面図である。
全体を符号１０で示す膨張弁は、アルミ合金でつくられる角柱形状の弁本体３０を有し、レシーバからエバポレータへ向う冷媒の流入通路３２を有する。通路３２は弁室３５、オリフィス３２ａを介してエバポレータ側への流出口３２１に連通している。
【０００６】
弁室３５内には、球形の弁体３２ｂが支持部材３２ｃにより支持される。弁室３５の開口部３５ａには、封止部材１５０が挿入され，カシメ加工によるカシメ部Ｋ１により固定される弁体の支持部材３２ｃと封止部材１５０の間には、コイルスプリング３２ｄが配設され、弁体３２ｂをオリフィス３２ａに向けて付勢する。
エバポレータから戻る冷媒は通路３４を通ってコンプレッサ側へ送られる。
弁本体３０の上部には、弁体を駆動するパワーエレメント部３６がとりつけられる。
【０００７】
パワーエレメント部３６は、上カバー３６ｄと下カバー３６ｈを有し、両カバーの間にダイアフラム３６ａが挟み込まれる。ダイアフラム３６ａと上カバー３６ｄの間には上部圧力作動室３６ｂが形成され、封切管３６ｉを介して作動ガスが封入される。
ダイアフラム３６ａの下面は、ストッパ部材３１２により支持される。ストッパ部材３１２は大径部３１４と小径部３１５を有し、両者の間に下部圧力作動室３６ｃが形成される。
下カバー部３６ｈは、ねじ部３６ｌを利用して弁本体３０に固着される。
下部圧力作動室３６ｃは、開口部３６ｅを介して通路３４に連通している。
【０００８】
ストッパ部材３１２の小径部３１５に挿入される作動棒３１６は冷媒の温度情報をストッパ部材３１２を介して上部圧力作動室３６ｂ側へ伝達する感温棒の機能を兼ね備える。
作動棒３１６は、弁本体３０の中央を貫通して、弁体３２ｂを操作する。通路３４に通ずる穴３８内にはシール部材５０が挿入され、作動棒３１６にとりつけられる。
スナップリング４１´で移動が規制される。
このシール構造によって、エバポレータへ向う冷媒とエバポレータから戻る冷媒が完全に分離される。
【０００９】
本発明の膨張弁１０は以上のように構成され、パワーエレメント部３６の作用によって、弁体３２ｂとオリフィス３２ａの間の冷媒通路の開口面積が制御され、冷媒の流量が制御される。
【００１０】
図２は、図１の弁室３５の封止部材１５０の取付構造を示す拡大図である。
封止部材１５０は、表面に平面を有する。弁本体３０の弁室３５の開口部３５ａは弁室３５との間で段付部が形成されている。封止部材１５０をカシメ部Ｋ１により開口部３５ａ内に押圧することによって、段付部との間で確実なシール部が形成される。
【００１１】
図３は、本発明の他の実施例を示す説明図である。
封止部材２５０は、表面にテーパー面を有する。弁本体３０の弁室３５の開口部３５ａは弁室３５との間で段付部が形成されている。封止部材２５０をカシメ部Ｋ１により開口部３５ａ内に押圧することによって、段付部との間で確実なシール部Ｓ１が形成される。
【００１２】
図４は、本発明の更に他の実施例を示す説明図である。
封止部材３５０は、その外周部にシール部材３６０を有する。封止部材３５０はカシメ部Ｋ１により弁室３５の開口部３５ａに固着される。シール部材３６０を備えることにより、確実なシールが達成できる。
【図面の簡単な説明】
【００１３】
【図１】本発明の膨張弁の断面図。
【図２】図１の要部の拡大図。
【図３】本発明の他の実施例を示す説明図。
【図４】本発明の更に他の実施例を示す説明図。
【符号の説明】
【００１４】
１０  膨張弁
３０  弁本体
３２  圧縮機側からの冷媒の通路
３５  弁室
３２１  蒸発器へ向かう冷媒の通路
３４  蒸発器から戻る冷媒の通路
３２ｂ  弁体
３１６  作動棒
３６  パワーエレメント
３６ａ  ダイアフラム
３１２  ストッパ部材
１５０  封止部材
【図１】
2005226940.tif 000003
【図２】
2005226940.tif 000004
【図３】
2005226940.tif 000005
【図４】
2005226940.tif 000006
(57)【要約】【課題】夏期、睡眠中にエアコンが停止すると急激に室内温度が上昇して睡眠を妨げる。その対策としては、起きて窓や扉を開けるか、一晩中エアコンをつけておく必要がある。前者は睡眠が妨げられ、後者は健康によくない。また、省エネルギーにも反する。エアコン停止時刻前後に自動的に窓や扉が開き睡眠を高めるものである。【解決手段】建造物の窓または扉にロープを取り付け、滑車を介して重りの重力で開ける装置に関して、電力エネルギーを使わず、ゼンマイ式タイマーの回転原理を利用して、予定時刻になると重り袋が回転するフックからはずれて、窓を自動的に開く治具である。【選択図】図１
2005226378.tif 000002
【特許請求の範囲】
【請求項１】
建造物の窓又は扉（以降、「建具」という）にロープを取り付け、重りの重力で牽引開放する装置であり、ゼンマイ式タイマーの回転を利用したフックに重りを引っ掛け、セット時刻に重りが回転するフックからはずれ落ち、建具が開くことを特徴とする重力式建具自動開放装置。
【請求項２】
タイマー軸と重り用フック軸の二つの回転軸を有し、タイマーのゼンマイによる回転を歯車でフック側に伝えることを特徴とする二軸式建具自動開放装置。
【請求項３】
建具開放に必要な重力の重りを袋に収納し、使用時以外は袋をフックから取り外せることを特徴とする重り脱着式建具自動開放装置。
【請求項４】
建具にロープを固定する金具は、薄い金属プレートを直角に折り曲げて、横引き窓の場合はサッシ補強縦部材と上蓋の隙間に差し込み、開き扉の場合は扉の上に取り付けることを特徴とする建具自動開放装置。
【発明の詳細な説明】
【技術分野】
【０００１】
本発明は、夏の夜に締め切った建具が自動的に開放をする装置に関するものである。
【背景技術】
【０００２】
従来の窓自動開放装置は、センサー感知によりその動力は電力である。
【特許文献１】特開平５−１８４１
【特許文献２】特開平９−６０４２１
【特許文献３】特開２００２−２９５１３０
【発明の開示】
【発明が解決しようとする課題】
【０００３】
解決しようとする問題点は、電力不要かつ安価で取り付け容易な建具自動開放装置を提供することを課題とする。
【課題を解決するための手段】
【０００４】
以上の課題を解決するために、第一発明は、ゼンマイ式タイマーの回転を利用したフックＡの回転で、重り袋６がフックＡからはずれて落下し、その重力を窓開放の動力とすることを特徴とする。
【０００５】
第二発明は、ゼンマイ式タイマーの回転を歯車を介してフックＡ側回転体に伝えることで、重りの重力がゼンマイ式タイマー軸心に加わらないことを特徴とする。
【０００６】
第三発明は、重り袋６には窓開放に必要な量の重りを入れることができ、また容易に袋ごと取りはずしが出来ることを特徴とする。
【０００７】
第四発明は、建具にロープを固定する金具３は、薄い金属プレートを直角に折り曲げて、窓の場合はサッシ補強縦部材と上蓋の隙間に差し込み、扉の場合は扉の上に乗せることを特徴とする。
【発明の効果】
【０００８】
第一発明では、夏期にエアコン停止時刻に合せてゼンマイ式タイマーをセットして寝れば、夜中に起き上がることなく電力エネルギーを使わず自動的に窓が開き、外気を取り込み睡眠を高めることができる。
【０００９】
第二発明では、重りの重力がゼンマイ式タイマー軸に垂直負荷をかけることがないのでタイマー故障の原因にならない。
【００１０】
第三発明は、窓の大きさとガラスの厚みにより開放に必要な力が異なることに柔軟に対応可能であり、また重り袋を容易に取り外せるので不注意によるガラスの破損を避けることができる。
【００１１】
第四発明は、建具を傷つけることなく簡単にロープを取り付けることができ、扉に取り付ける場合は上からビスまたは釘留めをしても目線に入らない。
【発明を実施するための最良の形態】
【００１２】
この発明の一実施形態を、図１に示す。  
【００１３】
「実施形態の効果」
この実施形態によれば、建具を改造せずに簡単に取り付けられる。構造が単純でコンパクトである。袋に入れる重りは、比重が大きく丸い物なら何でもよい。電力とその配線が不要であり、安価に製作できる。
【００１４】
「他の実施形態」
図１の実施形態では、重しの重量がゼンマイ式タイマーの軸心にかからない構造であるが、他の実施形態では、軸心が重りの重量の影響を受けない程度に頑丈なものであれば一軸心でさらにコンパクトにしたものでも良い。
【図面の簡単な説明】
【００１５】
【図１】この発明の一実施形態を示す斜視図である。
【図２】この発明の解説図である。
【図３】この発明の他実施形態として開き扉を示す斜視図である。
【符号の説明】
【００１６】
１  発明本体
２  滑車
３  建具固定金具
４  ゼンマイ式タイマー
５  フック付き輪金具
６  重り入り袋
Ａ  タイマー連動自動回転フック
Ｂ  重り袋引っ掛けフック
【図１】
2005226378.tif 000003
【図２】
2005226378.tif 000004
【図３】
2005226378.tif 000005
(57)【要約】【課題】  氷結状に固まった雪でも喰い込み性が良く、円滑な雪の移送を行える集雪部オーガーを備えた除雪機を提供する。【解決手段】  機体の前部に、前方に向かって開口する集雪部を設けた除雪機において、前記集雪部オーガーは、長手方向水平軸廻りに回転可能に設けられたシャフトに、集雪部中央方向に雪を移送可能な掬い角度を有した湾曲面を成形した複数の爪を螺旋状に１条または複数条配設して、爪により氷結状の雪を切断するように作用させて連続した粉砕を行うように集雪部のオーガーを構成する。【選択図】      図１
2005226336.tif 000002
【特許請求の範囲】
【請求項１】
機体の前部に、前方に向かって開口する集雪部を設けた除雪機において、前記集雪部オーガーは、長手方向水平軸廻りに回転可能に設けられたシャフトに、集雪部中央方向に雪を移送可能な掬い角度を有した湾曲面を成形した複数の爪を螺旋状に１条または複数状配設したことを特徴とする除雪機のオーガー装置。
【発明の詳細な説明】
【技術分野】
【０００１】
本発明は、除雪機の前部の集雪用オーガー構造に関するものである。
【背景技術】
【０００２】
背景技術として、同一出願人による「機体の前部に、前方に向かって開口するオーガーハウジングを設け、このハウジング内に螺旋の巻方向が中央に向けられた左右の帯状ブレードを取り付けた回転軸からなるオーガーを設けた除雪機において、相互に隣接する帯状ブレード外周部間に、水平方向の砕雪ブレードを掛け渡したことを特徴とした除雪機のオーガー」が公知である。（特許文献１）
【特許文献１】特開２００３−１１９７４３公報
【発明の開示】
【発明が解決しようとする課題】
【０００３】
前記従来技術における集雪部のオーガーは、中央部に雪を移送する方向に螺旋帯状ブレードを設け、相互に隣接する帯状ブレード外周部間に砕雪ブレードを掛け渡して雪塊および氷結状雪を削雪しているが、オーガーの側面視形状における外周部は、帯状ブレードにより全周が略連結した円形に形成されており、この外周部の抵抗により氷結状に固まった雪への喰い込み性を阻害する難点があった。
【０００４】
本発明は、前記問題を解決するため、氷結状雪等であっても喰い込み性が良く、円滑な雪の移送を行える除雪機のオーガー装置を提供する。
【課題を解決するための手段】
【０００５】
上記課題を解決するために、機体の前部に、前方に向かって開口する集雪部を設けた除雪機において、前記集雪部オーガーは、長手方向水平軸廻りに回転可能に設けられたシャフトに、集雪部中央方向に雪を移送可能な掬い角度を有した湾曲面を成形した複数の爪を螺旋状に１条または複数状配設して集雪部のオーガーを構成したものである。
【発明の効果】
【０００６】
集雪部のオーガーは、複数の爪を螺旋状に配設しているため、オーガー外周は、螺旋帯状ブレードのように側面視形状が連続した円形とはならず、オーガー外周部の爪と爪との間に隙間が確保され、氷結状の雪への喰い込み性が向上する。
【０００７】
また、前記爪は、それぞれ氷結状の雪を切断するように作用し連続した粉砕により細かい雪塊となる。さらに前記爪は、掬い角度を有した湾曲面を成形して雪の移送できる方向に爪を螺旋状に連続して配設したことにより、螺旋帯状ブレードで移送するのと同様の効果が得られ、細かく粉砕された雪塊は集雪部中央に集められ中央後側に設けられたブロアに供給され投雪することができる。
【発明を実施するための最良の形態】
【０００８】
以下、本発明の実施形態を図面に基づいて説明する。図１は本発明を実施した除雪機の正面図、図２は集雪部の横断面図、図３は本発明を実施した除雪機の側面図である。
【０００９】
１６は変速ケースで、エンジンからの動力を減速し、左右の回転軸１５を回転駆動するものである。１１はオーガーを示し、回転軸１５には螺旋状に爪ホルダー１４が複数個溶着されてあり、この爪ホルダーにはオーガーハウジング１０の中央方向に雪を移送可能に掬い角度を有した湾曲面をハウジング中央を境に左右対称に成形した爪１３が挿入され固着されている。本実施例では、爪ホルダーを２条の螺旋状に配列してあるが、１条または複数条に配列してもよい。
【００１０】
前記爪１３により構成されたオーガーにより、オーガーハウジング１０中央部に掻き集められた雪は、中央のオーガー後側に設けられたブロア１７に供給され、シュート１２を介して所定の場所へ投雪するものである。
【００１１】
図３において、１は走行部で駆動輪５，無限帯であるクローラ６等からなる。２は機体を示し、左右に前記した走行部１を配して、上部にエンジン４を搭載して機体カバー７で覆われてなり、後部に操作部３を設けている。
【００１２】
操作部３は、ハンドル９，変速レバー８等を設けている。機体２の前部には、前方に向けて開口するオーガーハウジング１０を設けている。オーガーハウジング１０内には、爪１３を回転軸１５に螺旋状に配設して構成されたオーガー１１を設けている。オーガーの中央後方のブロアカバー１７ａ内にブロア１７が設けられてあり、オーガーにより中央に集められた雪をブロアでブロアカバー１７ａの上部よりシュート１２を介して投雪する。
【００１３】
シュート１２の基部は、旋回回動可能に構成され、モータにより回動するように構成されて、操作部３に設けられたスイッチ操作により旋回でき、これにより投雪方向を選択できる。
【００１４】
エンジン４の前方に突設した出力軸には、第１出力プーリ４ａが固着されてあり、下方のオーガー駆動プーリ１１ａは、オーガーハウジング側から突設したシャフト１８に固着されて、これらはＶベルトを介して連動連結して駆動している。
【００１５】
シャフト１８に伝えられた駆動力は、ブロア１７とブロア前方に設けられた変速ケース１６を駆動する。変速ケース１６内にはウォームとウォームホイールが設けられて、減速すると供にシャフト１８と直角方向に回転力を変換しオーガーを駆動する。
【００１６】
一方エンジンの後方に突設した出力軸には、第２出力プーリー４ｂが固着されて、下方の走行変速機２０の入力プーリー２０ａとＶベルトで連動連結されて走行変速機を駆動している。走行変速機２０により変速変換された動力は、左右の駆動輪５に伝えられクローラ６を駆動して機体は走行する。
【図面の簡単な説明】
【００１７】
【図１】本発明を実施した除雪機の正面図
【図２】集雪部の横断面図
【図３】本発明を実施した除雪機の側面図
【符号の説明】
【００１８】
１      走行部
２      機体
３      操作部
４      エンジン
４ａ    第１出力プーリ
４ｂ    第２出力プーリ
５      駆動輪
６      クローラ
７      機体カバー
８      変速レバー
９      ハンドル
１０    オーガーハウジング
１１    オーガー
１１ａ  オーガー駆動プーリ
１２    シュート
１３    爪
１４    爪ホルダ
１５    回転軸
１６    変速ケース
１７    ブロア
１７ａ  ブロアカバー
１８    シャフト
２０    走行変速機
２０ａ  変速機入力プーリ
【図１】
2005226336.tif 000003
【図２】
2005226336.tif 000004
【図３】
2005226336.tif 000005
(57)【要約】【課題】従来危険を伴った高所での建物の内側からの網戸の取り付け、取外しの作業を安全に補助する器具を提供する。【解決手段】建物の内側から使用者が片手に持って掴む、開放が手元で操作でき、作業中の使用者の手首への重量負担と、使用者自らの人身事故、網戸と当該器具の落下事故の危険性を低減することを考慮した網戸支持器具により、当該網戸の縦框部分を掴み、安全に高所での網戸の取り付け、取外しの作業を補助することを可能とする。【選択図】図２
2005226305.tif 000002
【特許請求の範囲】
【請求項１】
コイルばねの一端に設けられた可動の掴みをロッドやワイヤー等の手段により手元で掴む、開放の操作を可能とする掴み器具を有し、窓用網戸の框を掴み、窓用網戸の取り付け、取外しを補助することを特徴とする網戸支持器具。
【請求項２】
請求項１に記載の網戸支持器具であって、使用者のつかんだ手元位地より後方に、使用者の腕を上側より覆う半円状に形成された押さえ器具と、そのさらに後方に、使用者の腕を下側より覆う半円状に形成された押さえ器具を両方備えたことを特徴とする網戸支持器具。
【請求項３】
請求項１に記載の網戸支持器具であって、使用者のつかんだ手元位地より後方に、使用者の腕を下側より覆う半円状に形成された押さえ器具を備えたことを特徴とする網戸支持器具。
【発明の詳細な説明】
【技術分野】
【０００１】
本発明は、窓用網戸を取り付け、取外し時に、使用者を補助する支持器具に関するものである。
【背景技術】
【０００２】
建物の窓用網戸は、一般には質量が軽く、また上部のはずれ止機構の形状、機能向上の結果、建物の外側からの取り付け、取外しは容易になっている。
【０００３】
しかし、手の届かない高位置の窓、２階以上の窓で足場が無い等、外側から取り付け、取外しが難しい部位の網戸は建物の内側から当該網戸を持ちながらの作業となるため、特に網戸の取り付け時のサッシレールへの位置合わせの難しさと、網戸の落下事故のおそれ等大変危険なものである。
【発明の開示】
【発明が解決しようとする課題】
【０００４】
解決しようとする問題点は、建物の内側からの網戸の取り付け、取外しが難しく、また高所では大変危険なことである。
【課題を解決するための手段】
【０００５】
本発明は、窓用網戸を支持する器具を提供し、安全に建物の内側から網戸の取り付け、取外しを可能とすることを最も主要な特徴とする。
【発明の効果】
【０００６】
本発明の網戸支持器具は、手元の操作で網戸の支持、開放が可能なため、取り付け、取外し完了までの網戸の支持が可能となり、安全性が高まるという利点がある。
【０００７】
また、請求項２若しくは請求項３記載の使用者の腕を押さえる器具を併用すれば、当該支持器具と網戸の重量が使用者の腕に分散されるため、使用者の手首にかかる重量的負担を軽減させられる。
【発明を実施するための最良の形態】
【０００８】
使用者が本発明の構造、形状の網戸支持器具の使用時は、片手での支持となるため、機構の簡素化と使用部材の吟味により軽量化に努め、かつ必要強度と掴み器具部分の滑り止めを考慮することにより、安全性に考慮されたものとする。
【実施例１】
【０００９】
図１は、本発明の網戸支持器具の使用時の配置図であり、１の網戸の取り付け時は、２の使用者から遠い側の縦框のなるべく高い位置を８の当該器具により掴むことにより、上側のサッシレールへの位置合わせが容易になるため、８の当該器具の掴み器具部分と使用者の手元の位置関係を下がり勾配とするのが望ましい。
【００１０】
図２は、請求項２の実施例の構造図であって、１１の使用者の手のにぎり位置にある７の掴む、開放操作部から６のワイヤーを引く操作をすると、６のワイヤーの先端に固定された４の可動掴みが５のコイルバネを縮小させながら、３の固定掴みとの間に１の網戸の縦框を挟み込む間隙をつくり、６のワイヤーを引く操作を解除すると、５のコイルばねの復帰力により３の固定掴みと4の可動掴みにより当該網戸の縦框が掴まれるものであり、３の固定掴みと４の可動掴みのサッシの框を掴む面にはゴムシート貼り付け等の滑り止め加工が望ましい。
【００１１】
図３は、請求項２若しくは請求項３の実施例の使用者の腕を覆う半円状に形成された押さえ器具の断面図であり、９の上側押さえ器具は使用者の手首の後方に取り付け、１０の下側押さえ器具は９の押さえ器具より更に後方に取り付けることとすると、使用者の手首への重量的負担を低減できるのと、万一、使用者が当該器具を放した時でも容易に脱落、落下しない。
【００１２】
また、図２記載の９の上側押さえ器具と１０の下側押さえ器具を併用する請求項２の実施例の場合は使用者自らの人身事故防止のため、使用者の腕にかかる曲げモーメントが過大にかかる前に必ず破壊されるか、８の本体から外れる若しくは、自由移動する取付が望ましい。
【産業上の利用可能性】
【００１３】
危険な箇所の網戸の取り付け、取外しが従来、不自由に行われていたか、作業に慣れた人物が行っていたものが、本発明が提供する網戸支持器具を用いることにより、一般的に安全に行う事が可能となり、広く普及が見込まれる。
【図面の簡単な説明】
【００１４】
【図１】本発明網戸支持器具の使用時の配置図である。
【図２】本発明網戸支持器具の構造図である。（実施例１）
【図３】請求項２記載の使用者の腕を押さえる器具の断面図である。
【符号の説明】
【００１５】
１    網戸
２    使用者
３    固定掴み
４    可動掴み
５    コイルばね
６    ワイヤー
７    掴む、開放操作部
８    網戸支持器具本体
９    使用者の腕の押さえ器具（上側用）
１０    使用者の腕の押さえ器具（下側用）
１１    使用者の手のにぎり位置
１２    使用者の腕（断面）
【図１】
2005226305.tif 000003
【図２】
2005226305.tif 000004
【図３】
2005226305.tif 000005
(57)【要約】      （修正有）【課題】夜間や留守時に不審者に浸入された際の被害を最小限にし、かつ、開口部からの熱損失を低減させることを可能とする。【解決手段】  雨戸の室内側に鏡を取り付けて、建物内に侵入した不審者の姿を鏡面に投影させることにより、不審者に居住者がいると錯覚させ、侵入後の被害を最小限に留める、雨戸、シャッター。又鏡面により、室内から出る熱線を室内側に反射させ、開口部における熱損失を低減させることの出きる雨戸、シャッター。【選択図】図１
2005226347.tif 000002
【特許請求の範囲】
【請求項１】
室内側に鏡面を有する雨戸・シャッター。
【請求項２】
建物内に侵入した不審者の姿を、請求項１における鏡面に投影させることにより、不審者に居住者がいると錯覚させ、侵入後の被害を最小限に留めることのできる雨戸・シャッター。
【請求項３】
請求項１における鏡面により、室内から出る熱線を室内側に反射させ、開口部における熱損失を低減させることのできる雨戸・シャッター。
【発明の詳細な説明】
【技術分野】
【０００１】
本発明は、建築物に設けられる防犯性を有する雨戸・シャッター及び遮熱材に関する。
【背景技術】
【０００２】
従来の雨戸・シャッターは、外部からの不審者の侵入への対策が考慮されている。
【発明の開示】
【発明が解決しようとする課題】
【０００３】
従来の雨戸・シャッターでは、不審者が建物内に侵入してからの対策が考慮されていないため、一度建物内に侵入した不審者にとっては行動しやすい環境になってしまっている。
【０００４】
また、室内から発せられ、ガラス面を透過した熱線が雨戸・シャッターに達し、雨戸・シャッターに断熱性能はあるが十分ではなく、開口部から熱損失を生じてしまっている。
【課題を解決するための手段】
【０００５】
本発明は、建物内に侵入した不審者の姿を投影させ、不審者に居住者がいると錯覚させることにより、侵入後の被害を最小限にすることができるよう、雨戸・シャッターの室内側に鏡面状のものを有することを特徴とする雨戸・シャッターを提供する。
【発明の効果】
【０００６】
本発明の鏡面を有する雨戸・シャッターにおいては、室内から発せられる熱線が鏡面により室内側に反射され、開口部からの熱損失を低減させることができる。
【発明を実施するための最良の形態】
【０００７】
不審者が建物内に侵入してからの対策という目的を、従来の建物にしようされているものに、最小の部品数で、日常の生活に障害のない形で実現した。
【実施例１】
【０００８】
本発明は、通常の図１、図２に示すように雨戸２・シャッター３の室内側に、鏡面状のもの１を設けている。
【産業上の利用可能性】
【０００９】
雨戸・シャッターの設けた鏡面体によって、室内から発せられた熱線が室内側に反射されるので、開口部からの熱損失を低減させる用途にも適用できる。
【図面の簡単な説明】
【００１０】
【図１】本発明における鏡面状のものを、室内側に設けた雨戸の概念図である。
【図２】本発明における鏡面状のものを、室内側に設けたシャッターの概念図である。
【図３】従来の雨戸・シャッターにおける、室内側からの熱線の動きを示した概念図である。
【図４】本発明における室内側に鏡面状のものを設けた雨戸・シャッターを用いた際の、室内から発せられた熱線の動きを示した概念図である。
【符号の説明】
【００１１】
１    鏡面状のもの
２    雨戸
３    シャッター
４    雨戸・シャッター
５    ガラス面
６    熱線
７    サッシ
【図１】
2005226347.tif 000003
【図２】
2005226347.tif 000004
【図３】
2005226347.tif 000005
【図４】
2005226347.tif 000006
(57)【要約】【課題】本発明の課題は、建設構造物及び構造物の表面はデザイン、美観等を重視する従来の工法の欠点を解消し、自動的に建設構造物及び構造物の表面の色が気温に反応し、暑い時は太陽熱を吸収しにくい色に、寒い時は太陽熱を吸収しやすい暖色に変化し冷暖房効果の効率を向上せしめる事が可能な寒暖熱感知変色材使用による吸断熱効果の建物及び建設構造物及び構造物を提供する事を課題とする。【解決手段】建設構造物及び構造物の表面又は内部の冷暖房効果の向上を目的とし、建設構造物及び構造物に、外気温に反応して自動的に表面色が、外気温に反応して色が自動変化する材料を採用する事で解決される。【選択図】  図  １
2005226425.tif 000002
【特許請求の範囲】
【請求項１】
建築構造物及び構造物の内部の冷暖房効果を効率よく且つ自然に向上させる事を目的とした、外壁面内壁面及び屋根及び屋上表面の色を温度によって変化せしめる事が可能な材料を用いて施工された、寒暖熱感知変色材使用による吸断熱効果の建物及び建設構造物及び構造物。
【請求項２】
表面の色が温度に反応して変化し、構造物の表面温度を調整せしめることを目的とする、寒暖熱感知変色材使用による吸断熱効果の建物及び建設構造物及び自動車などの構造物。
【請求項３】
上記にかかる材料は、塗料であっても、貼り付け用建材であっても差し支えなく、施工の条件によりどちらも適用可能な寒暖熱感知変色材使用による吸断熱効果の建物及び建設構造物及び構造物。
【発明の詳細な説明】
【技術分野】
【０００１】本発明は、建設構造物及び構造物の表面の温度調整を、表面に施した材料が温度の変化により色が変化して表面にかかる熱を吸収及び放射又は反射し表面の温度が上がったり下がったりせしめる事が可能な材料を用い、建設構造物及び構造物の表面、及び内部の冷暖房効果を向上せしめることを目的とする冷暖房効果効率向上システム。
【背景技術】
【０００２】建設構造物及び構造物の表面は、デザイン的感覚や、景観などを重視した施工が大半であり、冷暖房の効率向上を意図とした施工は少なく、景観に適合するための色の材料を使用した物が殆どである。【０００３】この様な施工技術は、暖色の場合は、冬は暖房効果があるものの夏は熱を吸収するため冷房効果が損なわれ、一年を通じての冷暖房効果に適しているとは言えるものではなかった。【０００４】季節により、表面の色を変え冷暖房効果を向上させる事は可能であるが其の都度施工費用がかかり、効率的とはいえず、この方法を採用しない人が殆どである。
【発明の開示】
【発明が解決しようとする課題】
【０００５】本発明の課題は、上記の様な従来の工法の欠点を解消し、自動的に建設構造物及び構造物の表面の色が気温に反応し、暑い時は太陽熱を吸収しにくい色に、寒い時は太陽熱を吸収しやすい暖色に変化し冷暖房効果の効率を向上せしめる事が可能な寒暖熱感知変色材使用による吸断熱効果の建物及び建設構造物及び構造物を提供する事を課題とする。
【課題を解決するための手段】
【０００６】本発明は、建設構造物及び構造物の表面又は内部の冷暖房効果率の向上を目的とし、建設構造物及び構造物に、外気温に反応して自動的に色が、上記の【０００５】のように外気温に反応して色が自動変化する材料を採用する事で解決される。【０００７】この場合の施工材料は、上記機能を備えた塗料又は建材を指す。【０００８】住居などを目的に築造された建物では、壁面及び屋根を同時に【０００５】での記述の通りの施工を行う事でより冷暖房効果率の向上をせしめることが可能である。【０００９】コンクリート構造物の壁は、夏の暑い時期において、コンクリートが熱されてコンクリートの温度が上昇し壁の内側である室内の温度が上昇する、しかも一度あがった温度は下がりにくく冷房効果を妨げることとなるが、【０００５】記述の材料を用いた施工を行う事で従来の欠点を大幅に解消させる手段となる。【００１０】また、コンクリート内部の鉄筋が温度上昇により膨張し、コンクリートに亀裂を生じさせたり、爆裂現象が生じる原因を大幅に減少させる手段としても有効である。
【発明の効果】
【００１１】本発明により、建設構造物及び構造物の冷暖房効果を効率良く向上させる為に、寒い時は太陽熱を吸収し易い暖色に変化し、暑い時には太陽熱を吸収し難い色に変化させる事で自然熱の有効活用が可能となり冷暖房効率を向上させてエネルギーの有効活用する事が出来る。【００１２】壁材は外気と内気との温度差を受けるが寒暖熱感知変色材使用により温度差を緩和する事が出来、壁材の劣化防止に有効となる。
【発明を実施するための最良の形態】
【００１３】以下に本発明にかかる寒暖熱感知変色材使用方法ついて図に基付き記述する。構造物の表面に寒暖熱感知変色材１を貼付け又は塗る事で構造物の壁材２は直接外気温度４の影響を受ける事無く内気温度３により近い温度と成る。【００１４】外気温度が高い時は寒暖熱感知変色材１の色は太陽熱を吸収しにくい色に変化し太陽熱の影響を壁材２に直接与えない、外気温度が低い時は寒暖熱感知変色材１の色は太陽熱を吸収しやすい色に変化し太陽熱を取り込む事で内気温度３の熱放散を防止する。
【図面の簡単な説明】
【００１５】
【図１】  建設構造物の概念図
【符号の説明】
１  寒暖熱感知変色材
２  構造物の壁材
３  内気温度
４  外気温度
５  屋根部
【図１】
2005226425.tif 000003
(57)【要約】      （修正有）【課題】接着剤を使用せずに石板を壁に容易に取り付ける事が出来る石板取り付け器具を提供する。【解決手段】ビス穴３にビスで本器具を壁に固定した後、加工した石板の上部４を器具の石板上部固定部分２に入れ固定する。次に石板の下部に設けた溝５を器具の石板株固定部分１に入れて石板を壁に設置する。【選択図】図５
2005226424.tif 000002
【特許請求の範囲】
【請求項１】
本器具と石板下部とを固定する部分（１）と石板上部とを固定する部分（２）と壁に器具を取り付ける為のビス穴（３）よりなる接着剤不要の石板取り付け器具。
【発明の詳細な説明】
【発明の詳細な説明】
【技術分野】
【０００１】  この発明は接着剤を使用せずに石板を壁に容易に取り付ける事が出来る接着剤不要の石板取り付け器具に関するものである。
【背景技術】
【０００２】  従来、石板を壁、床、天井等に取り付ける施工方法は接着剤を使用して施工するものであった。
【発明が解決しようとする課題】
【０００３】  従来の技術は次のような欠点があった。
接着剤を使用するため、どうしても壁にしみが浮き出てきて石板本来の美しさが損なわれ著しく商品価値を下げていた。
しかも、接着剤使用により、自然環境に悪影響を与えていた。
そして、接着剤で施工するため一度取り付けると取り外しが出来ず、取り外すと商品価値がなくなり、廃棄処分されていた。これは石板を再利用することができず資源保護の点において良くなかった。
又，糊付けによる為、貼り手間に時間がかかり、施工期間が長くなり結果施工金額が大幅に上がった。
私は永年にわたって、内装工事業にたずさわっているが、ゴージャスで見栄えが良く、癒し効果のある石板の使用を望む人が非常に多いが、施工金額が高額で断念せざるを得なかった。
本発明は、以上のような欠点をなくすためになされたものである。
【課題を解決するための手段】
【０００４】本器具と石板下部とを固定する部分（１）と石板上部とを固定する部分（２）と壁に器具を取り付ける為のビス穴（３）よりなる接着剤不要の石板取り付け器具。
【発明を実施するための最良の形態】
【０００５】以下、本発明の実施の形態についたて説明する。
ビス穴図１の（３）にビスで本器具を壁に固定した後、加工した石板の上部図５（４）を器具の石板上部固定部分図１の（２）にいれ固定する。
次に石板の下部に設けた溝図５の（５）を器具の石板下部固定部分図１の（１）に入れて石板を壁に設置する。以下順次この作業を繰り返して行う。
【実施形態の効果】
【０００６】以上説明したように、この発明によれば、接着剤を使用しないで容易に施工期間が短期間で石板を壁等に取り付けることが出来る。
石板を再利用する場合においても簡単に取り外すことが可能である。
石板の設置価格が安価となり広く消費者に提供することが出来、消費者の要望に答えることが出来る。
【図面の簡単な説明】
【図１】この発明の平面図である。
【図２】この発明の下側よりの断面図である。
【図３】この発明の右横側よりの断面図である。
【図４】石板の施工断面図である。
【図５】石板の施工平面図である。
【図６】石板の斜視図である。
【図７】石板の断面図である。
【図８】従来の施工断面図である。
【図９】石板の平面図である。
【符号の説明】
１  石板の下部支え部分
２  石板の上部支え部分
３  壁に本器具を固定するためのビス穴
４  加工した石板の上部
５  石板の下部に設けた溝
６  接着剤
７  壁
【図１】
2005226424.tif 000003
【図２】
2005226424.tif 000004
【図３】
2005226424.tif 000005
【図４】
2005226424.tif 000006
【図５】
2005226424.tif 000007
【図６】
2005226424.tif 000008
【図７】
2005226424.tif 000009
【図８】
2005226424.tif 000010
【図９】
2005226424.tif 000011